【事件の表示】
　特願２０１１−１７２２８７号「遊技機」拒絶査定不服審判事件〔平成２５年２月２１日出願公開、特開２０１３−３４６１８号〕について、次のとおり審決する。
【結　論】
　本件審判の請求は、成り立たない。
【理　由】
第１　手続の経緯の概要
　本願は、平成２３年８月５日の出願であって、平成２４年１１月３０日付けで拒絶の理由が通知され、平成２５年１月２９日に意見書及び手続補正書が提出され、さらに、同年９月９日付けで最後の拒絶の理由が通知され、同年１０月１５日に意見書及び手続補正書が提出されたところ、平成２６年７月２２日付けで、平成２５年１０月１５日に提出された手続補正書でした補正の却下の決定がなされ、同日付けで拒絶査定がなされ（発送日：平成２６年７月２５日）、それに対し、同年９月１１日に拒絶査定不服審判の請求がなされると同時に明細書及び特許請求の範囲に係る手続補正がなされたものである。
　
第２　平成２６年９月１１日付けの手続補正についての補正却下の決定
［補正却下の決定の結論］
　平成２６年９月１１日付けの手続補正（以下「本件補正」という。）を却下する。
　
［理由］
　１　補正の内容、及び、補正の適否
　本件補正は、特許請求の範囲を補正するものであり、本件補正により、特許請求の範囲の請求項１は、平成２５年１月２９日に提出された手続補正書における
「遊技動作を統括的に制御する主制御手段と、
　遊技状態に応じて音を出力するスピーカと、
　遊技機本体の背面側に設けられ、前記スピーカから出力される音の出力値を遊技場側が設定可能な遊技場設定手段と、
　遊技機本体の前面側に設けられ、前記スピーカから出力される音の出力値を遊技者が設定可能な遊技者設定手段と、
　前記遊技場設定手段にて設定された設定値に基づいた出力値及び／又は前記遊技者設定手段にて設定された設定値に基づいた出力値に基づき、前記スピーカから出力される音の音量を調整する音量調整手段と、
　前記主制御手段からの制御コマンドに基づいて、前記音量調整手段による前記スピーカから出力される音の前記遊技者設定手段による新たな音量調整を可能又は不能に切り替える切替手段とを有してなることを特徴とする遊技機。」から、
　審判請求時に提出された手続補正書における
「遊技動作を統括的に制御する主制御手段と、
　遊技状態に応じて音を出力するスピーカと、
　遊技機本体の背面側に設けられ、前記スピーカから出力される音の出力値を遊技場側が設定可能な遊技場設定手段と、
　遊技機本体の前面側に設けられ、前記スピーカから出力される音の出力値を遊技者が設定可能な遊技者設定手段と、
　前記遊技場設定手段にて設定された設定値に基づいた出力値及び／又は前記遊技者設定手段にて設定された設定値に基づいた出力値に基づき、前記スピーカから出力される音の音量を調整する音量調整手段と、
　前記主制御手段から
遊技開始に伴って送信される変動開始
当該変動開始制御コマンドの内容如何に関わらず
可能から不能
に補正された（下線は、補正箇所を明示するために審決にて付した。）。
　
　上記補正は、補正前の請求項１に記載した発明を特定するために必要な事項である音量調整手段による音量調整の可否に関して、「前記主制御手段からの制御コマンドに基づいて、前記音量調整手段による前記スピーカから出力される音の前記遊技者設定手段による新たな音量調整を可能又は不能に切り替える切替手段」とあったものを、「前記主制御手段から
遊技開始に伴って送信される変動開始
当該変動開始制御コマンドの内容如何に関わらず
可能から不能
　
　そして、本件補正は新規事項を追加するものではない。
　
　２　独立特許要件について
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第７項の規定に適合するか否か）について以下に検討する。
　
　（１）刊行物に記載された発明
　前置報告時に新たに提示された、本願の出願前に頒布された刊行物である特開２００５−２８８０２０号公報（以下「刊行物」という。）には、図面と共に次の事項が記載されている（下線は審決にて付した。以下同じ。）。
　　　ア　「【発明の詳細な説明】
【技術分野】
【０００１】
　本発明は、
弾球遊技機
　
　　　イ　「【発明が解決しようとする課題】
【０００５】
　特許文献１、２のように遊技者が操作可能な音量調整手段を新たに設けるとなると、その設置スペース、組立に要する時間、組立の複雑化、遊技機のコストアップなどの問題が発生する。」
　
　　　ウ　「【００２５】
　ガラス枠６０の下方には上皿５５が配され、前面枠５２に対して開放可能に取り付けられている。
上皿５５の前面部には
操作ボタン７５
が設置されている
　
　　　エ　「【００３４】
　なお、遊技盤１０には、多数の遊技釘１６が植設されているが、これらは周知であるので一部のみ図示して全体的な図示と説明は省略する。
　本実施例の
パチンコ機５０の制御系は
主制御装置３０を中心にして構成されている
【００３５】
　主制御装置３０には、下皿６３が満杯状態になったことを検出する満タンスイッチ、球タンクが空状態になったことを検出する球切れスイッチ、普通電動役物２２への入賞球を検出する第１種始動口スイッチ、遊技球がゲート２１を通過したことを検出する普通図柄作動スイッチ、遊技球が大入賞口２５の内部に設けられている特定領域を通過したことを検出するＶスイッチ、大入賞口２５への入賞球を検出するカウントスイッチ、賞球払い出しスイッチ、各普通入賞口２４への入賞球をそれぞれ検出する入賞口スイッチ等の検出信号が入力される。
【００３６】
　
主制御装置３０は
検出信号などに基づいて遊技の進行に関わる各種のコマンドを生成し
　
　　　オ　「【００４１】
　
サブ統合基板９０は
スピーカ５からの音声出力を制御し
【００４２】
　また、サブ統合基板９０は、操作ボタン７５の操作信号が入力される。詳細は後述するが、
サブ統合基板９０は、操作ボタン７５の操作信号に応じてスピーカ５の音量を変更する
【００４３】
　図示するとおり、サブ統合基板９０と図柄制御装置４０とは双方向通信可能になっており、操作ボタン７５は、どちらかの制御装置のみに接続されている。そして、本実施例では、操作ボタンが接続されている制御装置にて、音量調整の可能、不能及び表示内容の変更可能、不能を制御している。どちらか一つの制御装置で（２つの異なる用途の）可能不能を制御しているため、誤差なく正確に行なえる。（各々の制御装置にて各々有効無効を判断する構成だと、音量調整も表示内容の変更も有効になるといった問題が発生する可能性が出てしまう。）
　また、図に記載されているように、押しボタンからは１本の線しか延びていない。通常、一つのものを共有する場合、２本の線を使って各々の制御装置に接続することが考えられるが、そのようにすることで、配線ミスになったりする可能性も高くなるし、コストや組立時の時間がかかってしまう。また、２本の線を使って各々の制御装置に繋ぐということは、それぞれの制御装置で有効無効を制御する構成（音調整は音制御装置、表示内容変更は図柄制御装置で有効無効を制御する構成）になるので上記した問題が生じる可能性が出てしまう。」
　
　　　カ　「【００５０】
　そして、大当たり図柄又は外れ図柄を指定するデータが含まれた変動開始コマンドをサブ統合基板９０に送信する。
　サブ統合基板９０は変動開始コマンドを図柄制御装置４０に転送し、また変動開始コマンドに従って音声やＬＥＤ類を制御する。」
　
　　　キ　「【００５３】
　次に、操作ボタン７５の操作と音量変更等と関係を説明する。
　まず図４を参照してサブ統合基板９０が実行する初期音量設定処理を説明する。この初期音量設定処理においては、サブ統合基板９０は主制御装置３０からの電源投入時であることを示す信号が入力されると（Ｓ１：ＹＥＳ）、音量変更処理により、スピーカ５から出力する音声の音量を初期音量に設定する（Ｓ３）。
初期音量は、サブ統合基板９０に設けられているホール用音量調整スイッチ
によって、遊技店が設定できる
【００５４】
　また、電源投入時以外でも（Ｓ１：ＮＯ）、一定期間遊技が行われていないときには（Ｓ２：ＹＥＳ）、音量変更処理で初期音量に設定する（Ｓ３）。遊技が行われているか否かは主制御装置３０が判断し、それを示す信号が主制御装置３０からサブ統合基板９０に与えられる。本実施例においては、主制御装置３０は、一定時間以上にわたって始動入賞が発生していなければ遊技が行われていないと判断する構成であるが、例えばタッチ信号を主制御装置３０に入力し、これに基づいて遊技の実行、不実行を判断する構成とできる。
【００５５】
　電源投入時（Ｓ１：ＹＥＳ）又は一定期間遊技が行われていないときには（Ｓ２：ＹＥＳ）初期音量に設定される（Ｓ３）から、遊技者がパチンコ機５０にて遊技を行おうとして着席した場合、たいていは（前の遊技者が立ち去ってから一定期間を経過していないこともある。）初期音量に設定されている。
【００５６】
　このパチンコ機５０においては、遊技状態や図柄の変動状態等に応じて、
遊技者が操作ボタン７５を操作することで音量を調整できる
【００５７】
　サブ統合基板９０は、音量調整処理を開始すると音量調整可能期間か否かを判断する（Ｓ１１）。なお、音量調整可能期間中は、図７に例示するように図柄表示装置１５にて「音量調整可能期間」との表示がなされる。」
　
　　　ク　「【００９２】
　図１２はデモ表示中の表示例を示す。上述したように本実施例ではデモ表示中でも音量を変更可能な構成になっている。デモ表示中は、遊技者が遊技しておらず、音量だけ調整すればよいので、間違いが起こりにくい。そして、遊技中に音量を変えるといったことをしなくてすむので遊技に集中できる。」
　
　　　ケ　「【０１１４】
　また、実施例では
音量調整可能期間
デモ表示されている期間のみ音量調整が可能になるといった構成でもよい
　
　　　コ　「【０１１６】
　実施例は、図３で説明したように、
ホール用（遊技者が操作できない）の音量調整手段が設けられており、上述した初期音量が店員によって変更可能になっている
操作ボタン７５によっての音量調整が可能、不能を設定できる切替スイッチを弾球遊技機の背面に設けてもよい
　
　　　サ　上記オ、キの記載事項から、
サブ統合基板９０は、ホール用音量調整スイッチにより設定された初期音量、あるいは、操作ボタン７５により調整された音量に基づいて、スピーカ５からの音声出力を制御する
　
　　　シ　上記ア〜コの記載事項、上記サの認定事項、及び、図面の図示内容を総合勘案し、特に上記ケより「音量調整可能期間」を「デモ表示されている期間のみ」とした例に基づくと、刊行物には、次の発明（以下「刊行物発明」という。）が記載されていると認められる。
　「制御系の中心を構成し、検出信号などに基づいて遊技の進行に関わる各種のコマンドを生成する主制御装置３０と、
　サブ統合基板９０により、変動開始コマンドに従って音声出力が制御されるスピーカ５と、
　サブ統合基板９０に設けられ、遊技店がスピーカ５の初期音量を設定できるホール用音量調整スイッチと、
　上皿５５の前面部に設置され、遊技者が操作することでスピーカ５の音量を調整できる操作ボタン７５と、
　サブ統合基板９０は、ホール用音量調整スイッチにより設定された初期音量、あるいは、操作ボタン７５により調整された音量に基づいて、スピーカ５からの音声出力を制御し、
　遊技者が操作ボタン７５を操作することで音量を調整できる音量調節可能期間をデモ表示されている期間のみとした
　弾球遊技機。」
　
　（２）対比
　本件補正発明と刊行物発明とを対比する。
　　　ア　刊行物発明における「制御系の中心を構成し、検出信号などに基づいて遊技の進行に関わる各種のコマンドを生成する主制御装置３０」と、本件補正発明における「遊技動作を統括的に制御する主制御手段」とを対比する。
　
　刊行物発明における「遊技の進行に関わる各種のコマンドを生成す」ことは、検出信号などに基づいて、遊技動作が時間的に進行することをコマンドを用いて制御することであるから、本件補正発明における「遊技動作を」「制御する」ことに相当する。
　また、刊行物発明における「制御系の中心を構成」することは、本件補正発明における「統括的に制御する」ことに相当する。
　
　したがって、刊行物発明における「主制御装置３０」は、本件補正発明における「主制御手段」に相当する。
　
　　　イ　刊行物発明における「サブ統合基板９０により、変動開始コマンドに従って音声出力されるスピーカ５」と、本件補正発明における「遊技状態に応じて音を出力するスピーカ」とを対比する。
　
　刊行物発明における「変動開始コマンドに従」うことは、変動開始コマンドが検出信号などに基づいて遊技の進行状況に応じて主制御装置３０において生成されるものであることは明らかであるから、本件補正発明における「遊技状態に応じ」ることに相当する。
　
　したがって、刊行物発明における「スピーカ５」は、本件補正発明における「スピーカ」に相当する。
　
　　　ウ　刊行物発明における「サブ統合基板９０に設けられ、遊技店がスピーカ５の初期音量を設定できるホール用音量調整スイッチ」と、本件補正発明における「遊技機本体の背面側に設けられ、前記スピーカから出力される音の出力値を遊技場側が設定可能な遊技場設定手段」とを対比する。
　
　刊行物発明における「サブ統合基板９０に設けられ」ることは、サブ統合基板９０が弾球遊技機本体に設けられるものであるから、本件補正発明の「遊技機本体」「に設けられ」ることに含まれる。
　そして、刊行物発明における「遊技店がスピーカ５の初期音量を設定できる」ことは、本件補正発明における「スピーカから出力される音の出力値を遊技場側が設定可能な」ことに相当する。
　
　したがって、刊行物発明における「ホール用音量調整スイッチ」と、本件補正発明における「遊技場設定手段」とは、「遊技機本体に設けられ、スピーカから出力される音の出力値を遊技場側が設定可能」である点で共通する。
　
　　　エ　刊行物発明における「上皿５５の前面部に設置され、遊技者が操作することでスピーカ５の音量を調整できる操作ボタン７５」と、本件補正発明における「遊技機本体の前面側に設けられ、スピーカから出力される音の出力値を遊技者が設定可能な遊技者設定手段」とを対比する。
　
　刊行物発明における「上皿５５の前面部」は、上皿５５が弾球遊技機の前面に設けられるものであることから、本件補正発明における「遊技機本体の前面側」に相当する。
　そして、刊行物発明における「遊技者が操作することでスピーカ５の音量を調整できる」ことは、本件補正発明における「スピーカから出力される音の出力値を遊技者が設定可能な」ことに相当する。
　
　したがって、刊行物発明における「操作ボタン７５」は、本件補正発明における「遊技者設定手段」に相当する。
　
　　　オ　刊行物発明における「ホール用音量調整スイッチにより設定された初期音量、あるいは、操作ボタン７５により調整された音量に基づいて、スピーカ５からの音声出力を制御」する「サブ統合基板９０」と、本件補正発明における「遊技場設定手段にて設定された設定値に基づいた出力値及び／又は遊技者設定手段にて設定された設定値に基づいた出力値に基づき、スピーカから出力される音の音量を調整する音量調整手段」とを対比する。
　
　刊行物発明における「ホール用音量調整スイッチにより設定された初期音量」「に基づ」くこと、「操作ボタン７５により調整された音量に基づ」くことは、それぞれ、本件補正発明における「遊技場設定手段にて設定された設定値に基づいた出力値」「に基づ」くこと、「遊技者設定手段にて設定された設定値に基づいた出力値に基づ」くことに相当する。
　また、刊行物発明における「スピーカ５からの音声出力を制御」することは、本件補正発明における「スピーカから出力される音の音量を調整する」ことに相当する。
　
　したがって、刊行物発明における「サブ統合基板９０」は、本件補正発明における「音量調整手段」に相当するものである。
　
　　　カ　刊行物発明における「遊技者が操作ボタン７５を操作することで音量を調整できる音量調節可能期間をデモ表示されている期間のみとした」ことと、本件補正発明における「主制御手段から遊技開始に伴って送信される変動開始制御コマンドに基づいて、当該変動開始制御コマンドの内容如何に関わらず前記音量調整手段によるスピーカから出力される音の遊技者設定手段による新たな音量調整を可能から不能に切り替える切替手段」を有することとを対比する。
　
　刊行物発明における「音量を調整できる音量調節可能期間をデモ表示されている期間のみと」することについて検討する。
　刊行物発明において、「デモ表示されている期間」以外の期間には音量調節できないことから、刊行物発明は、デモ表示状態のときに音量調節を可能とし、デモ表示状態の終了に伴い音量調節できないように切り替えるものである。
　そして、刊行物発明において、デモ表示状態が変動開始による遊技の開始に伴い終了することは、当業者にとって明らかである。
　
　したがって、刊行物発明における「遊技者が操作ボタン７５を操作することで音量を調整できる音量調節可能期間をデモ表示されている期間のみとした」ことと、本件補正発明における「主制御手段から遊技開始に伴って送信される変動開始制御コマンドに基づいて、当該変動開始制御コマンドの内容如何に関わらず前記音量調整手段によるスピーカから出力される音の遊技者設定手段による新たな音量調整を可能から不能に切り替える切替手段」を有することとは、「変動開始による遊技の開始に伴って、前記音量調整手段によるスピーカから出力される音の遊技者設定手段による新たな音量調整を可能から不能に切り替える切替手段」を有することで共通する。
　
　　　キ　上記ア〜カから、本件補正発明と刊行物発明とは、
「遊技動作を統括的に制御する主制御手段と、
　遊技状態に応じて音を出力するスピーカと、
　遊技機本体に設けられ、前記スピーカから出力される音の出力値を遊技場側が設定可能な遊技場設定手段と、
　遊技機本体の前面側に設けられ、前記スピーカから出力される音の出力値を遊技者が設定可能な遊技者設定手段と、
　前記遊技場設定手段にて設定された設定値に基づいた出力値及び／又は前記遊技者設定手段にて設定された設定値に基づいた出力値に基づき、前記スピーカから出力される音の音量を調整する音量調整手段と、
　変動開始による遊技の開始に伴って、前記音量調整手段による前記スピーカから出力される音の前記遊技者設定手段による新たな音量調整を可能から不能に切り替える切替手段とを有してなる遊技機。」
の点で一致し、以下の点で相違する。
　
［相違点１］
　遊技場設定手段の設置箇所に関して、
　本件補正発明は、遊技機本体の背面側であるが、
　刊行物発明は、遊技機本体のどの箇所か不明である点。
　
［相違点２］
　変動開始による遊技の開始に伴う切替手段による、遊技者設定手段による新たな音量調整の可能から不能への切り替えに関して、
　本件補正発明は、切り替えが主制御手段から遊技開始に伴って送信される変動開始制御コマンドに基づいて、当該変動開始制御コマンドの内容如何に関わらず行われるのに対して、
　刊行物発明は、切り替えがデモ表示されている期間の終了に伴い行われるが、本件補正発明の上記構成を具備するか否か不明である点。
　
　（３）当審の判断
　　　ア　相違点１について
　上記相違点１について検討する。
　刊行物には、「ホール用（遊技者が操作できない）の音量調整手段が設けられており、上述した初期音量が店員によって変更可能になっている」（上記（２）ケ）ことが記載されている。
　この記載からみて、刊行物発明における「ホール用音量調整スイッチ」は、店員が操作可能であるが、遊技者が操作することよりトラブルが発生しないように、遊技者が操作できない箇所に設置されるものといえる。
　そして、遊技機の技術分野において、スピーカから出力される音の音量を調整するための遊技場設定手段を、遊技場側が設定可能で遊技者が設定して問題が発生しないように遊技機本体の背面側に設けることは本願出願前に周知の技術事項である（例えば、刊行物の上記（２）ケに「操作ボタン７５によっての音量調整が可能、不能を設定できる切替スイッチを弾球遊技機の背面に設けてもよい。」ことが記載され、審査段階で提示された特開２００５−２６１８０８号公報の【０００２】に「これらスピーカより発せられる音量を設定する設定手段は、通常、遊技店側のみが操作できるようパチンコ機の裏側のみに設けられていた。」ことが記載され、【００９６】に「音量を決定する際には、後述するように、先ず遊技店側が裏側音量調節スイッチ１２１によって裏側音量段階を設定し、その後に遊技者が遊技開始時若しくは遊技中に表側音量調節スイッチ１２０によって表側音量段階を設定する。」ことが記載されている。）。
　したがって、刊行物発明に上記周知の技術事項を適用して、ホール用音量調整スイッチを遊技者が操作できないように、遊技機本体の背面側に設けることは、当業者が容易になし得たものである。
　
　　　イ　相違点２について
　上記相違点２について検討する。
　遊技機の技術分野において、デモ表示期間の終了の判断を、主制御手段から遊技開始に伴って送信される、いずれかの変動開始制御コマンドを受信した場合に行うことは、本願出願前に周知の技術事項である（例えば、特開２００７−１２５２３５号公報の【０２２４】には、「客待ちデモ演出の実行中に変動パターンコマンドを受信した場合には（ステップＳ８１１；Ｙ）、客待ちデモ演出を終了し、ステップＳ８１２以下の処理を実行する。」ことが記載され、特開２００８−１８８１３６号公報の【００７６】には、「変動開始コマンドを受信したと判定した場合には、デモ表示を終了するための制御コマンドを画像表示器１６に送信」することが記載されている。）。
　そして、上記周知の技術事項の「いずれかの変動開始制御コマンドを受信した場合に行う」ことは、変動制御開始コマンドの種類に関わらず、いずれの種類の変動開始制御コマンドを受信した場合に行うことであるから、本件補正発明の「変動開始制御コマンドの内容如何に関わらず行われる」ことに相当する構成である。
　したがって、刊行物１発明における「デモ表示されている期間」が終了したことの判断を、上記周知の技術事項に倣って、主制御手段から遊技開始に伴って送信される、いずれかの変動開始制御コマンドを受信した場合に行い、遊技者設定手段による新たな音量調整の可能から不能への切り替えの判断に用いて、上記相違点２に係る本件補正発明の構成とすることは、当業者が容易になし得たものである。
　
　　　ウ　効果について
　本件補正発明により奏される効果は、当業者が、刊行物発明、及び、刊行物に記載された技術事項から予測し得る範囲内のものであって、格別のものではない。
　
　　　エ　請求人の主張について
　請求人は、平成２６年９月１１日に提出された審判請求書において、「引用文献１に記載の発明から、本願発明特有の作用効果（ａ）「遊技の進行を妨げない最適な状態の時に遊技者による音量調整が可能となる」を発揮させるような本願発明の特徴的構成〔Ａ〕「前記主制御手段から遊技開始に伴って送信される変動開始制御コマンドに基づいて、当該変動開始制御コマンドの内容如何に関わらず前記音量調整手段による前記スピーカから出力される音の前記遊技者設定手段による新たな音量調整を可能から不能に切り替える切替手段とを有してなること」に容易に想到することは、例え当業者といえども、到底不可能であります。」（第５頁第１６〜２３行）と主張する。
　しかしながら、刊行物には、実施例の変形例として、「
音量調整可能期間が
デモ表示されている期間のみ
可能になる
　
　　　オ　小括
　上記ア〜エにおいて検討したように、本件補正発明は、当業者が刊行物発明、及び、周知の技術事項に基づいて容易に発明をすることができたものであるから、特許法第２９条第２項の規定により、特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　平成２６年９月１１日付け手続補正は上記のとおり却下されたので、本願の請求項１に係る発明（以下「本願発明」という。）は、平成２５年１月２９日付け手続補正書の特許請求の範囲の請求項１に記載された事項により特定される次のとおりのものである。
「遊技動作を統括的に制御する主制御手段と、
　遊技状態に応じて音を出力するスピーカと、
　遊技機本体の背面側に設けられ、前記スピーカから出力される音の出力値を遊技場側が設定可能な遊技場設定手段と、
　遊技機本体の前面側に設けられ、前記スピーカから出力される音の出力値を遊技者が設定可能な遊技者設定手段と、
　前記遊技場設定手段にて設定された設定値に基づいた出力値及び／又は前記遊技者設定手段にて設定された設定値に基づいた出力値に基づき、前記スピーカから出力される音の音量を調整する音量調整手段と、
　前記主制御手段からの制御コマンドに基づいて、前記音量調整手段による前記スピーカから出力される音の前記遊技者設定手段による新たな音量調整を可能又は不能に切り替える切替手段とを有してなることを特徴とする遊技機。」
　
　２　刊行物に記載された発明
　（１）刊行物１
　平成２５年９月９日付けの最後の拒絶の理由通知において提示された、本願の出願前に頒布された刊行物である特開２００５−２６１８０８号公報（以下「刊行物１」という。）には、図面と共に次の事項が記載されている（下線は審決にて付した。以下同じ。）。
　　　ア　「【技術分野】
【０００１】
　本発明は、音発生手段より発せられる音量を設定する音量設定手段を有する遊技機に関し、特に、遊技機の表面側と裏面側とに設けられた第１及び第２音量操作手段の操作の組み合わせによって音量を設定するパチンコ機等の遊技機に関する。
【背景技術】
【０００２】
　遊技機の一つであるパチンコ機では、遊技を多様化し、また遊技に関する演出を盛り上げる為に、音楽、効果音、音声等をスピーカ等を介して遊技者に対し提供している。そして、これらスピーカより発せられる音量を設定する設定手段は、通常、遊技店側のみが操作できるようパチンコ機の裏側のみに設けられていた。しかし、遊技中の状況等によって、遊技者自身が遊技店側の設定した音量の変更を望む機会も多かった。
　ここで、遊技者側に音量設定をさせる手段として、特開平９−２９９５５１号公報には、スピーカの前方に遮蔽板を移動可能に設置し、遊技機正面に設けられた移動用ノブを所定の位置に移動させることによって、遮蔽板を介してスピーカから出力される音圧を減衰させることとした弾球遊技機が記載されている。
【特許文献１】特開平９−２９９５５１号公報（第３頁〜第５頁、図１、図２０）
【発明の開示】
【発明が解決しようとする課題】
【０００３】
　しかしながら、前記した特許文献１に記載された遊技機のように、遊技機の正面のみに音量を設定する音量設定手段を設けた場合においては、遊技店側が現在の店内状況、周囲の環境等を考慮して設定した音量の設定値が、遊技者によって容易に変更されてしまうこととなる。例えば、音量を大きく設定することにより周囲への広告効果を高めたいときに、遊技中の遊技客によって音量が最も小さくされてしまうことが考えられる。
　即ち、遊技機の裏側のみ音量の設定手段を設けることは、遊技客の遊技意欲を減退させてしまう虞があり、また、遊技機の正面のみに音量を設定する音量設定手段を設けた場合においては、遊技店側の意図が無視されてしまう結果となっていた。
【０００４】
　本発明は、前記従来の問題点を解消するためになされたものであり、
遊技店側と遊技者側の両者の要望を踏まえた音量に基づいて音、効果音、音声等をスピーカ等の音発生手段より発することが可能となった遊技機を提供する
　
　　　イ　「【００２４】
　また、この前面カバー部材６の下側には、後述の賞球ケース６２（図３参照）より払い出される賞球を受ける上皿１４がスピーカ１５を内蔵して合成樹脂製プレート１６に配設されている。また、このプレート１６は、左端縁部の上下を軸支されて、前面カバー部材６を開放後、内側に設けられた不図示のレバーを下げることにより開放できるように取り付けられている。また、この上皿１４の中央前面部には、カード式球貸機の操作ボタン１７、１８及びカード残高表示装置１９が設けられている。そして、その上皿１４の下には、下皿２０が配設される。また、上皿１４に連通する不図示の球送り機構を介して上皿１４のパチンコ球が操作ハンドル２１に連結された発射装置２２（図３参照）へ送られるよう構成されている。
　ここで、スピーカ１５とは、電気信号として伝わってきた音信号を空気の振動に変換するものである。また、音信号とは、遊技中に発せられる音楽、効果音、音声等の様々な音に関する情報を形成する信号である。尚、本実施形態においては音発生手段としてスピーカ１５を用いて説明するが、スピーカ１５以外であっても空気を振動させて音を発生する装置であれば、同様の作用、効果を有する。従って、その実施形態はスピーカ１５に限られるものではない。
【００２５】
　更に、上皿１４側部のプレート１６上には、表側音量調節スイッチ２４が設けられている。
表側音量調節スイッチ２４は、前記スピーカ１５より発せられる音楽、効果音、音声等の音量を調節するスイッチ
　図４に示すように、表側音量調節スイッチ２４は、上下に移動可能に設けられたスイッチつまみ２５を有し、つまみ２５の現在の位置によってスピーカ１５より発せられる音量を設定するものである。具体的には、スイッチのつまみ２５が上位置にある場合には「音量大」と設定され、つまみ２５が中位置にある場合は「音量中」に設定され、つまみ２５が下位置にある場合は「音量小」となるように設定される。
　尚、具体的な音量の設定機構については後に詳細に後述する。」
　
　　　ウ　「【００３４】
　次に、図３に基づいてパチンコ機１の背面側の構造について説明する。
　図３に示すように、パチンコ機１の裏側最上段には、上方に開口した賞球タンク６０が機構セット盤６１に固定されている。賞球タンク６０は、傾斜した底面に連通孔が形成され、その連通孔の下方にはパチンコ球を２列に整列流出し、賞球ケース６２にパチンコ球を送る通路を形成するタンクレール６３が取り付けられている。
　また、タンクレール６３の下側には液晶表示器（ＬＣＤ）３２等をカバーする樹脂製のセンターカバー６４が取り付けられている。そして、このセンターカバー６４の背面部内側には、スピーカ１５を駆動制御する音制御基板６５、各電飾ランプ１０、１１等を駆動制御するランプ制御基板６６、及びＬＣＤ３２等を駆動制御する表示制御基板６７が取り付けられている。また、センターカバー６４の下側には、
パチンコ機１の遊技動作を制御する主基板６８
【００３５】
　また、下部受皿ボックス７０の側部には電源ボックスユニット７１が設けられている。電源ボックスユニット７１の前面には抽選確率設定用鍵型スイッチ７２、メインスイッチ７３、リセットスイッチ７４、裏側音量調節スイッチ７５が設けられている。
　尚、
裏側音量調節スイッチ７５は
遊技店側が音量を設定する為の操作部分である
　尚、実際に
スピーカ１５より発せられる音量は、表側音量調節スイッチ２４と裏側音量調節スイッチ７５との設定の組み合わせによって決定される
　
　　　オ　「【００５４】
　次に、抵抗装置１０４はアンプ１０３より送出された音信号の減衰を行う。ここで、抵抗装置１０４は、複数の抵抗器が直列若しくは並列に配列されることにより構成されており（図９、図１３参照）、表側音量スイッチ２４、裏側音量スイッチ７５が接続されている。そして、抵抗装置１０４の抵抗値は、パチンコ機１の表面側に設けられた表側音量スイッチ２４、裏面側に設けられた裏側音量スイッチ７５の操作に基づいて変更可能となっている。そして、抵抗装置１０４の抵抗値に基づいて、アンプ１０３より出力された音信号は減衰される。尚、抵抗装置１０４の構成については後に詳細に説明する。
　そして、
スピーカ１５は
音制御基板御回路６４から送出される音信号に対応した遊技に係わる音楽、効果音、音声を再生し、パチンコ遊技機１０外部へ放出する
【００５５】
　続いて、前記抵抗装置１０４について回路図を用いて詳細に説明する。図９は第１実施形態に係る音制御基板の一部を示した回路図である。
　図９に示すように、第１実施形態に係る抵抗装置１０４は、遊技者側が操作可能な表側音量調節スイッチ２４により可変的に抵抗が変更可能に構成された第１抵抗器１１０と、遊技店側のみが操作可能な裏側音量調節スイッチ７５により可変的に抵抗が変更可能に構成された第２抵抗器１１１とが直列に接続されることにより構成されている。
　また、音信号が入力される信号入力端子１０７は、図示されていないが、音源ＩＣ１０２に接続されている。そして、アンプ１０３の出力側に抵抗装置１０４が設けられ、更に、信号出力端子１０８とグランド端子１０９との間にスピーカ１５が接続されている。」
　
　　　カ　「【００６７】
　以上説明した通り第１実施形態に係るパチンコ機１では、先ず遊技店側の裏側音量調節スイッチ７５による操作に基づいて第２抵抗器１１１の抵抗値が抵抗Ｒ２１、Ｒ２２、Ｒ２３より選択され、決定される。そして、遊技者による表側音量調節スイッチ１２０の操作に基づいて、第１抵抗器１１０の抵抗値が抵抗Ｒ１１、Ｒ１２、Ｒ１３より選択され、決定される。その結果、第１抵抗器１１０及び第２抵抗器１１１の抵抗値の組み合わせに基づいて、音信号が減衰されスピーカ１５より発せられる音量が決定されるので、遊技店側と遊技者側の両者の要望を踏まえた音量に基づいて音、効果音、音声等をスピーカ１５より発することが可能である。
　尚、第２実施形態においては抵抗装置１０４における抵抗の変更手段として、抵抗器（Ｒ１１、Ｒ１２、Ｒ１３、Ｒ２１、Ｒ２２、Ｒ２３）を、表側音量調節スイッチ２４及び裏側音量調節スイッチ７５により切り換えることにより行っていたが、第１抵抗器１１０及び第２抵抗器１１１として可変抵抗器を設置し、表側音量調節スイッチ２４及び裏側音量調節スイッチ７５により可変抵抗器の抵抗を変更することとしても良い。それにより、３段階ではなく微妙な値での音量の調整が可能となる。」
　
　　　キ　「【００８３】
　以下に、第３実施形態に係る表側音量スイッチ１２０及び裏側音量スイッチ１２１について図１７及び図１８を用いて説明する。図１７は第３実施形態に係るパチンコ機全体を示した正面図である。図１８は第３実施形態に係るパチンコ機の全体を示した背面図である。
【００８４】
　図１７に示すように更に、上皿１４側部のプレート１６上には、表側音量調節スイッチ１２０が設けられている。表側音量調節スイッチ１２０は、前記スピーカ１５より発せられる音楽、効果音、音声等の音量を調節するスイッチであり、具体的には横並びに設けられた２つの押しボタンからなるスイッチである。
　表側音量調節スイッチ１２０は、現在の音量を一段階大きくするＵｐボタン１２０Ａと、現在の音量を一段階小さくするＤｏｗｎボタン１２０Ｂとから構成されている。そして、現在の音量を大きくしたい場合にはＵｐボタン１２０Ａを押すことにより音量が一段階大きくなる（図２２参照）。また、現在の音量を小さくしたい場合にはＤｏｗｎボタン１２０Ｂを押すことにより音量が一段階小さくなる。表側音量調節スイッチ１２０によって設定される音量の段階は１〜５段階まであり、後述の裏側音量調節スイッチ１２１によって設定される音量段階との組み合わせによって、音量が決定される（図２２参照）。
　尚、具体的な音量の設定制御については後に詳細に後述する。
【００８５】
　また、図１８に示すように、電源ボックスユニット７１の前面に裏側音量調節スイッチ１２１が設けられている。
　尚、裏側音量調節スイッチ１２１は、前記したパチンコ機１の正面に設けられている表側音量調節スイッチ１２０と同様の構成を有しており、遊技店側が音量を設定する為の操作部分である。裏側音量調節スイッチ１２１は、表側音量調節スイッチ１２０と同様に横並びに設けられた２つの押しボタンからなるスイッチから構成される。具体的には、現在の音量を一段階大きくするＵｐボタン１２１Ａと、現在の音量を一段階小さくするＤｏｗｎボタン１２１Ｂとから構成されている。そして、現在の音量を大きくしたい場合にはＵｐボタン１２１Ａを押すことにより音量が一段階大きくなる。また、現在の音量を小さくしたい場合にはＤｏｗｎボタン１２１Ｂを押すことにより音量が一段階小さくなる。裏側
音量調節スイッチ１２１によって設定される音量の段階は１〜５段階まであり、前記表側音量調節スイッチ１２０によって設定される音量段階との組み合わせによって、音量が決定される（図２２参照）。
　尚、具体的な音量の設定制御については後に詳細に後述する。」
　
　　　ク　「【００９６】
　尚、音量を決定する際には、後述するように、
先ず遊技店側が裏側音量調節スイッチ１２１によって裏側音量段階を設定し、その後に遊技者が遊技開始時若しくは遊技中に表側音量調節スイッチ１２０によって表側音量段階を設定する
　
　　　ケ　上記ア〜クの記載事項、及び、図面の図示内容を総合勘案すると、刊行物１には、次の発明（以下「刊行物１発明」という。）が記載されていると認められる。
「パチンコ機１の遊技動作を制御する主基板６８と、
　遊技に係わる音楽、効果音、音声を再生し、パチンコ遊技機１０外部へ放出するスピーカ１５と、
　遊技店側が音量を設定する為の操作部分である、裏側音量調節スイッチ７５と、
　スピーカ１５より発せられる音楽、効果音、音声等の音量を遊技者が調節する表側音量調節スイッチ２４とを備え、
　スピーカ１５より発せられる音量は、表側音量調節スイッチ２４と裏側音量調節スイッチ７５との設定の組み合わせによって決定され、
　先ず遊技店側が裏側音量調節スイッチ１２１によって裏側音量段階を設定し、その後に遊技者が遊技開始時若しくは遊技中に表側音量調節スイッチ１２０によって表側音量段階を設定する
　パチンコ機１。」
　
　（２）刊行物２
　同じく、平成２５年９月９日付けの最後の拒絶の理由通知において提示された、本願の出願前に頒布された刊行物である特開２００９−１１４０８号公報（以下「刊行物２」という。）には、図面と共に次の事項が記載されている（下線は審決にて付した。以下同じ。）。
　
　　　ア　「【技術分野】
【０００１】
　本発明は、例えばスピーカ等の音響設備から音声を出力する機能を備えた
遊技機
【背景技術】
【０００２】
　従来、遊技機から出力される音声の音量を遊技者が自分の好みに応じて調節したり、あるいは、遊技とは別の放送音声に切り替えて出力したりする技術が知られている。
【０００３】
　例えば、遊技の進行状態を示すのに必要な情報を音声出力するスピーカを設けた遊技機において、遊技機本体の前面に音量調整器を配置し、この音量調整器を遊技者が操作することで、スピーカからの音量を遊技者の好みによって調整できる先行技術（１）が知られている（特許文献１参照。）。この先行技術（１）ではさらに、遊技機本体の裏面側にも音量調整器を設けるとともに、スピーカへの接続を前面側と裏面側の各音量調整器の間で何れか一方に切り替えることができるため、音量の調節を遊技場運営者が行うこともできる。
【０００４】
　また別の先行技術（２）として、遊技機内に種類の異なる第１スピーカ部、第２スピーカ部及び第３スピーカ部を設け、このうち第１スピーカ部からは遊技の効果音を出力可能とし、第２スピーカ部からは場内アナウンスを出力可能とし、そして第３スピーカ部からは放送局からの音楽を出力可能として、これらをバンド切替スイッチの操作によって切り替えたり、調整つまみ群によって音量を調整したりするものが知られている（特許文献２参照。）。この先行技術（２）によれば、遊技機から出力される音声を効果音とは別の音声（店内アナウンス、放送音楽等）に切り替えることができるので、それだけ音声情報の選択の幅が広くなる他、各種の音声情報について遊技者の好みで音量を調整することができる。
【０００５】
　あるいは、スロットマシンの筐体の表面に露出して設けられるストップスイッチにより、遊技者が音量設定を行えるようにしておき、さらに筐体の内部にはロータリースイッチを配置しておくことで、遊技場運営者だけがロータリースイッチによる音量調整の可変範囲を自動設定することができる先行技術（３）が知られている（特許文献３参照。）。先行技術（３）によれば、遊技者がストップスイッチを操作して音量を自分の好みに調整することができるが、その可変範囲はロータリースイッチの操作によって限定されているので、音量が遊技場運営者の意向から外れないものとなっている。
【特許文献１】特開平１０−１０８９４０号公報
【特許文献２】特開２００３−８８６１５号公報
【特許文献３】特開２００４−２１５８０５号公報
【発明の開示】
【発明が解決しようとする課題】
【０００６】
　しかしながら、上記の各先行技術には次の問題点がある。先ず先行技術（１）は、遊技者の好みで音量を調整できるとはいえ、遊技機から出力される音量を全体として大きくしたり、小さくしたりすることしかできない。このため、調整後の音量に遊技者の耳が慣れてしまった場合、遊技者にとっては変更前の状況と何ら変わりがなく、それ以上に特段の恩恵を受けることはできない。
【０００７】
　次に先行技術（２）は、異なる音声情報を選択することができる点で、先行技術（１）にはない別の恩恵を遊技者に与えている。しかしながら、遊技の効果音に関して言えば、やはり全体として音量を大きくするか、小さくするかの調整でしかなく、依然として先行技術（１）の問題点を解消するに至っていない。
【０００８】
　先行技術（３）は、遊技者が自分の好みで音量を調整できることに加えて、その可変範囲を遊技場運営者の意向に添って限定できるため、遊技者及び遊技場運営者の双方に恩恵が与えられている。しかしながら、遊技者にとっては可変範囲内で全体の音量を大きくしたり、小さくしたりすることができるだけであるため、やはり先行技術（１），（２）と同様の問題点を抱えている。
【０００９】
　そこで本発明は、
単に遊技機から出力される音量の調整が可能であるというだけに留まらない技術の提供を課題としたものである
　
　　　イ　「【００５２】
　上記の主制御装置７０とは別に、パチンコ機１は制御上の構成として演出制御装置９４を備えている。この演出制御装置９４は、パチンコ機１における遊技の進行に伴う演出の制御を行う。
演出制御装置９４にもまた、中央演算処理装置である演出制御ＣＰＵ９６を実装した回路基板が装備されている
【００５３】
　また演出制御装置９４には、図示しない入出力ドライバや各種のＩＣが装備されている他、ランプ駆動回路１０２や音響駆動回路１０４が装備されている。
演出制御ＣＰＵ９６は、主制御ＣＰＵ７２から送信される演出用のコマンドに基づいて演出の制御を行い
　
　　　ウ　「【００７６】
　ステップＳ４０：続いて主制御ＣＰＵ７２は、当り時停止図柄決定処理を実行する。この処理では、主制御ＣＰＵ７２はＲＡＭ７６のカウンタ領域から当り図柄用乱数を読み出し、その乱数値に基づいて特別図柄表示装置３６による停止図柄（大当り図柄）の表示態様を決定する。また
主制御ＣＰＵ７２は、演出制御装置９４に送信する
抽選結果コマンド（大当り時）を生成する
　
　　　エ　「【００７９】
　ステップＳ４４：主制御ＣＰＵ７２は、はずれ時停止図柄決定処理を実行する。この処理では、主制御ＣＰＵ７２はＲＡＭ７６の乱数更新領域から、はずれ図柄用乱数を抽出し、その乱数値に基づいて特別図柄表示装置３６による停止図柄（はずれ図柄）の表示態様を決定する。また
主制御ＣＰＵ７２は、演出制御装置９４に送信する
抽選結果コマンド（はずれ時）を生成する
　
　　　オ　「【００９８】
　図６は、演出抽選処理（３）の手順を詳細に示すフローチャートであり、図７は、演出抽選処理（１），（２）の手順を詳細に示すフローチャートである。また図８は、演出内容の抽選に使用される「演出抽選テーブル」の一例を示したものである。そして図９は、音声データを規定した「音声データテーブル」の一例を示したものである。なお演出抽選処理（１），（２）については、大当り種別が異なるものの、制御手順はほぼ共通であるため１つのフローチャートにまとめて示している。」
　
　　　カ　「【０１０４】
　ステップＳ３０６：
演出制御ＣＰＵ９６は、「音声データテーブル」から「予告あり演出」に対応した音声データを選択する
【０１０５】
　また「音声データテーブル」では、全ての音声データ（番号１〜１００）が「第１グループ」又は「第２グループ」のいずれかに区分されている。このうち
「第１グループ」には番号１〜９０の音声データが区分され
「第２グループ」には番号８１〜１００の音声データが区分され
【０１０６】
　「第１グループ」に属する音声データ（番号１〜８０）には、いずれも大当りの予告に関係しない音声内容が割り当てられている（音声「なし」の場合もあり）。これに対し、「第２グループ」に属する音声データ（番号８１〜９０）には、いずれも大当りの予告に関係した音声内容が割り当てられている。例えば、「第１グループ」の音声データ番号７９，８０には、それぞれ男声で「ん？」、「おや？」といった音声内容が割り当てられているが、これらはいずれも大当りの予告には関係していない。一方、「第２グループ」の音声データ番号８１には、男声で「リーチ！」という音声内容が割り当てられており、この音声内容は大当りの予告に関係している。特に音声データ番号９１には、女声で「おおあたり！」という音声内容が割り当てられており、この音声内容は、抽選結果が大当りであることを遊技者に対して言語形態で明確に教示するものである。」
　
　　　キ　「【０１０８】
　さらに「音声データテーブル」では、各音声データについて、
遊技者の操作に基づく音量の設定の可否が規定されている
「第１グループ」に区分される音声データ（番号１〜９０）については、いずれも音量の設定が許可されている（「可変」と表記）
「第２グループ」に区分される音声データ（番号８１〜１００）については、いずれも音量の設定が許可されていない（「既定」と表記）
【０１０９】
　ここでは
抽選結果が非当選（はずれ）である
演出制御ＣＰＵ９６は
「第１グループ（番号８１〜９０）」から音声データを選択する
　
　　　ク　「【０１２０】
　ステップＳ３１０：
演出制御ＣＰＵ９６は
第１グループ（番号１〜８０）から音声データを選択する
　
　　　ケ　「【０１２６】
　ステップＳ２０６：
大当り抽選結果が当選（大当り）の場合、演出制御ＣＰＵ９６は「第２グループ（番号８１〜１００）」から音声データを選択する
　
　　　コ　上記カ〜ケの記載、及び、【図９】の図示内容からみて、刊行物２には、
「はずれ時」に対応する「第１グループ」に区分された番号１〜９０の音声データについて、いずれも遊技者の操作に基づく音量の設定を許可する決定を行い、「当り時」に対応する「第２グループ」に区分された番号８１〜１００の音声データについて、いずれも遊技者の操作に基づく音量の設定を許可しない決定を行う
　また、上記カ及びキの記載からみて、刊行物２には、
演出制御装置９４が音量の設定を許可するか、許可しないかの決定を行う
　
　　　サ　上記ア〜クの記載事項、上記コの認定事項、及び、図面の図示内容を総合勘案すると、刊行物２には、次の技術事項（以下「刊行物２に記載された技術事項」という。）が記載されていると認められる。
　「主制御ＣＰＵ７２から送信される演出用のコマンドに基づいて演出の制御を行う演出制御ＣＰＵ９６を備えた遊技機において、
　主制御ＣＰＵ７２は、演出制御装置９４に送信する抽選結果コマンド（大当り時）、抽選結果コマンド（はずれ時）を生成し、
　演出制御装置９４は、「はずれ時」に対応する「第１グループ」に区分された番号１〜９０の音声データについて、いずれも遊技者の操作に基づく音量の設定を許可する決定を行い、「当り時」に対応する「第２グループ」に区分された番号８１〜１００の音声データについて、いずれも遊技者の操作に基づく音量の設定を許可しない決定を行う遊技機。」
　
　３　対比
　本願発明と刊行物１発明とを対比する。
　　ア　刊行物１発明の「パチンコ機１の遊技動作を制御する主基板６８」は、本願発明の「遊技動作を統括的に制御する主制御手段」に相当する。
　
　　イ　刊行物１発明の「遊技に係わる音楽、効果音、音声を再生し、パチンコ遊技機１０外部へ放出するスピーカ１５」は、本願発明の「遊技状態に応じて音を出力するスピーカ」に相当する。
　
　　ウ　刊行物１発明の「遊技店側が音量を設定する為の操作部分である、裏側音量調節スイッチ７５」は、本願発明の「遊技機本体の背面側に設けられ、スピーカから出力される音の出力値を遊技場側が設定可能な遊技場設定手段」し相当する。
　
　　エ　刊行物１発明の「スピーカ１５より発せられる音楽、効果音、音声等の音量を遊技者が調節する表側音量調節スイッチ２４」は、本願発明の「遊技機本体の前面側に設けられ、スピーカから出力される音の出力値を遊技者が設定可能な遊技者設定手段」に相当する。
　
　　オ　刊行物１発明の「スピーカ１５より発せられる音量は、表側音量調節スイッチ２４と裏側音量調節スイッチ７５との設定の組み合わせによって決定される」ことは、表側音量調節スイッチ２４及び／又は裏側音量調節スイッチ７５とが、スピーカ１５より発せられる音量を調節する手段として機能するものであるから、本願発明の「遊技場設定手段にて設定された設定値に基づいた出力値及び／又は遊技者設定手段にて設定された設定値に基づいた出力値に基づき、スピーカから出力される音の音量を調整する音量調整手段」に相当する。
　
　　カ　上記ア〜オから、本願発明と刊行物１発明とは、
「遊技動作を統括的に制御する主制御手段と、
　遊技状態に応じて音を出力するスピーカと、
　遊技機本体の背面側に設けられ、前記スピーカから出力される音の出力値を遊技場側が設定可能な遊技場設定手段と、
　遊技機本体の前面側に設けられ、前記スピーカから出力される音の出力値を遊技者が設定可能な遊技者設定手段と、
　前記遊技場設定手段にて設定された設定値に基づいた出力値及び／又は前記遊技者設定手段にて設定された設定値に基づいた出力値に基づき、前記スピーカから出力される音の音量を調整する音量調整手段を有する遊技機。」
の点で一致し、以下の点で相違する。
　
　［相違点］
　本願発明は、主制御手段からの制御コマンドに基づいて、音量調整手段によるスピーカから出力される音の遊技者設定手段による新たな音量調整を可能又は不能に切り替える切替手段を有してなるのに対して、刊行物１発明は、当該発明特定事項を有しない点。
　
　４　当審の判断
　上記相違点について検討する。
　刊行物２には、演出制御装置９４が、主制御ＣＰＵ７２の抽選結果コマンド（はずれ、当り）に基づいて、遊技者の操作に基づく音量の設定を許可あるいは不許可にすること、すなわち、上記相違点に係る本願発明の構成について記載されている。
　このように、刊行物２に記載された技術事項は、遊技中の状況によって送信される抽選結果コマンドに基づいて、音量の設定を許可あるいは不許可にするものである。
　一方、刊行物１には、背景技術の項に「遊技中の状況等によって、遊技者自身が遊技店側の設定した音量の変更を望む機会も多かった」（前記２（１）　ア）ことが記載されている。したがって、刊行物１発明は、遊技中の状況等によって音量を調整可能とするという刊行物２に記載された技術事項と共通の機能を有するものである。
　また、刊行物１発明と、刊行物２に記載された技術事項とは、音声出力に関する遊技機という同一の技術分野に属するものである。
　
　したがって、刊行物１発明の音量調整手段に、刊行物２に記載された技術事項を適用して、上記相違点に係る本願発明の構成を備えることは当業者が容易になし得たものである。
　また、本願発明により奏される効果は、当業者が、刊行物１発明、及び、刊行物２に記載された技術事項から予測し得る範囲内のものであって、格別のものではない。
　
　５　むすび
　以上のとおりであるから、本願発明は、刊行物１発明及び刊行物２に記載された技術事項に基づいて当業者が容易に発明をすることができたものであり、特許法第２９条第２項の規定により特許を受けることができない。
　したがって、本願は拒絶すべきものである。
　
　よって、結論のとおり審決する。